(57)【要約】【課題】  テロップと重畳する位置にある映像データに対する該テロップの可読性を低くする補正を行う電子機器およびテロップと重畳する位置にある映像データに対する該テロップの可読性を低くする補正方法を提供する。【解決手段】  テロップデータ補正参照領域を構成する各画素の色相を検出し、この検出された色相に基づいてテロップデータ検出領域中にて検出されたテロップデータ領域を構成する各画素の色相を補正する。テロップデータ周辺の色相のパターンを考慮してテロップデータ領域中を補正領域に区分し、区分された夫々の領域をテロップデータ補正参照領域にて検出された色相よりも低い色調を有する色を用いて補正する。【選択図】  図１２
2009081542.tif 000002
【特許請求の範囲】
【請求項１】
ディスプレイと、
前記ディスプレイに表示される映像データ上に重畳されるテロップデータ領域の周辺の画素が示す色相を検出するテロップデータ周辺色相検出手段と、
前記テロップデータ領域の画素が示す色相を検出するテロップデータ色相検出手段と、
前記テロップデータ周辺色相検出手段によって検出された色相と前記テロップデータ色相検出手段によって検出された色相とが同系の色相ではない場合、前記テロップデータ領域の画素が示す色相を、前記テロップデータ領域の周辺の画素が示す色相と同系の色相であり且つ前記テロップデータ領域の周辺の画素が示す色相が有する色調とは異なる色調で補正する補正手段と、
を具備することを特徴とする電子機器。
【請求項２】
前記補正手段は、
前記テロップデータ領域の周辺の画素が示す複数の同系色相に基づいて、前記同系色相からなる領域を形成するための境界線を決定し、この決定した境界線の配置傾向に基づいて前記テロップデータ領域内を複数の補正領域に区分する区分手段と、
前記区分手段によって生成された前記複数の補正領域の画素が夫々示す色相を、前記複数の補正領域の周辺の画素が夫々示す色相と同系の色相であり、且つ、前記複数の補正領域の周辺の画素が夫々示す色相が有する色調とは異なる色調で補正する補正手段と、
からなることを特徴とする請求項１記載の電子機器。
【請求項３】
前記補正手段は、前記テロップデータ領域の画素が示す色相を、前記テロップデータ領域の周辺の画素が示す色相と同系の色相であり、且つ、前記テロップデータ領域の周辺の色相が有する色調よりも低い色調で補正する手段であることを特徴とする請求項１記載の電子機器。
【請求項４】
前記テロップデータ周辺検出手段が検出する色相を示す画素領域および前記テロップデータ色相検出手段が検出する色相を示す画素領域を設定する設定手段と、
をさらに具備することを特徴とする請求項１記載の電子機器。
【請求項５】
前記補正手段は、前記テロップデータ周辺色相検出手段によって検出された色相と前記テロップデータ色相検出手段によって検出された色相とが同系色相であるか否かを判別するための閾値を設定する同系色相判別閾値設定手段をさらに具備することを特徴とする請求項１記載の電子機器。
【請求項６】
前記補正手段は、前記テロップデータ領域の画素が示す色相を、前記テロップデータ領域の周辺の画素が示す色相の有する色調とは異なる色調で補正する場合の色調の度合いを設定する設定手段をさらに具備することを特徴とする請求項１記載の電子機器。
【請求項７】
ディスプレイと、
前記ディスプレイに表示される映像データ上に重畳されるテロップデータ領域の周辺の画素が示す色相を検出するテロップデータ周辺色相検出手段と、
前記テロップデータ領域を含む領域を形成する画素が示す色相の中で、前記テロップデータ周辺色相検出手段によって検出された色相とは異なる色相を検出するテロップデータ色相検出手段と、
前記テロップデータ領域の周辺の画素が示す複数の同系色相に基づいて、前記同系色相からなる領域を形成するための境界線を決定し、この決定した境界線の配置傾向に基づいて前記テロップデータ領域内を複数の補正領域に区分する区分手段と、
前記区分手段によって生成された前記複数の補正領域の画素が夫々示す色相を、前記複数の補正領域の周辺の画素が夫々示す色相と同系の色相であり、且つ、前記複数の補正領域の周辺の画素が夫々示す色相の有する色調とは異なる色調で補正する補正手段と、
を具備することを特徴とする電子機器。
【請求項８】
前記補正手段は、前記複数の補正領域の画素が夫々示す色相を、前記複数の補正領域の周辺の画素が示す同系の色相であり、且つ、前記複数の補正領域の周辺の画素が夫々示す色相が有する色調よりも低い色調で補正する手段であることを特徴とする請求項７記載の電子機器。
【請求項９】
前記テロップデータ周辺検出手段が検出する色相を示す画素領域および前記テロップデータ色相検出手段が検出する色相を示す画素領域を設定する設定手段と、
をさらに具備することを特徴とする請求項７記載の電子機器。
【請求項１０】
前記補正手段は、前記テロップデータ周辺色相検出手段によって検出された色相と前記テロップデータ色相検出手段によって検出された色相とが同系の色相であるか否かを判別するための閾値を設定する同系色相判別閾値設定手段をさらに具備することを特徴とする請求項７記載の電子機器。
【請求項１１】
前記補正手段は、前記テロップデータ領域の画素が示す色相を、前記テロップデータの周辺の画素が示す色相の有する色調とは異なる色調で補正する場合の色調の度合いを設定する設定手段をさらに具備することを特徴とする請求項７記載の電子機器。
【請求項１２】
ディスプレイに表示される映像データ上に重畳されるテロップデータ領域の周辺の画素が示す色相を検出し、
前記テロップデータ領域の画素が示す色相を検出し、
前記テロップデータ領域の周辺の画素が示し前記検出された色相と前記テロップデータ領域の画素が示し前記検出された色相とが同系の色相ではない場合、前記テロップデータ領域の画素が示す色相を、前記テロップデータ領域の周辺の画素が示す色相と同系の色相であり且つ前記テロップデータ領域の周辺の画素が示す色相が有する色調とは異なる色調で補正することを特徴とする補正方法。
【請求項１３】
前記テロップデータ領域の周辺の画素が示す複数の同系色相に基づいて、前記同系色相からなる領域を形成するための境界線を決定し、この決定した境界線の配置傾向に基づいて前記テロップデータの領域内を複数の補正領域に区分し、
前記区分によって生成された前記複数の補正領域の画素が夫々示す色相を、前記複数の補正領域の周辺の画素が夫々示す色相と同系の色相であり、且つ、前記複数の補正領域の周辺の画素が夫々示す色相が有する色調とは異なる色調で補正することを特徴とする請求項１２記載の補正方法。
【請求項１４】
前記テロップデータ領域の画素が示す色相を、前記テロップデータ領域の周辺の画素が示す色相と同系の色相であり、且つ、前記テロップデータ領域の周辺の色相が有する色調よりも低い色調で補正することを特徴とする請求項１２記載の補正方法。
【請求項１５】
前記テロップデータ領域の周辺の画素が示す色相を検出する画素領域および前記テロップデータ領域の画素が示す色相を検出する画素領域を設定し、
前記設定した画素領域内において、前記テロップデータ領域の周辺の画素が示す色相および前記テロップデータ領域の画素が示す色相を検出することを特徴とする請求項１２記載の補正方法。
【請求項１６】
前記テロップデータ領域の周辺の画素が示す色相と前記テロップデータ領域の画素が示す色相とが同系色相であるか否かを判別するための閾値を設定し、
前記設定した閾値に基づいて、これらの色相が同系の色相ではない場合に補正を行うことを特徴とする請求項１２記載の補正方法。
【請求項１７】
前記テロップデータ領域の画素が示す色相を、前記テロップデータ領域の周辺の画素が示す色相が有する色調とは異なる色調で補正する場合の色調の度合いを設定し、
前記設定した色調の度合いを用いて、前記テロップデータの画素が示す色相を補正することを特徴とする請求項１２記載の補正方法。
【請求項１８】
ディスプレイと、
前記ディスプレイに表示される映像データ上に重畳されるテロップデータ領域の画素が示す色相と前記テロップデータ領域の周辺の画素が示す色相とが同系の色相では無い場合に、前記テロップデータ領域の画素が示す色相を前記テロップデータ領域の周辺の画素が示す色相と同系の色相で補正する第１のモード、または、前記テロップデータ領域の画素が示す色相を補正しない第２のモードに設定することが可能な設定手段と、
を具備することを特徴とする電子機器。
【発明の詳細な説明】
【技術分野】
【０００１】
本発明は、映像データ上に重畳するように文字・数字・記号・図形等からなるテロップデータを表示させる技術に関する。
【背景技術】
【０００２】
近年、映像技術の一つとして、映像データ上にテロップと称される文字・数字・記号・図形等のデータを重畳する技術が開発された。
【０００３】
この技術に関して、特許文献１に示すように、動画データ上に重畳されるテロップの可読性を高めるために、文字領域の色とこの文字領域の周辺領域の色との組み合わせに基づいて可読性を判別し、可読性が低いと判定された文字領域の画像データについて可読性を改善する補正処理を行う技術があった。
【特許文献１】特開２００３−２０９７０４号公報（第８頁、第１２図）
【発明の開示】
【発明が解決しようとする課題】
【０００４】
特許文献１に開示されている技術が開発される理由は、上述したように、ユーザにとって文字領域の可読性を向上させるためであるが、このケースとは逆に、動画データに対してテロップが調和せずに目立ちすぎることで視聴者の快適なコンテンツ視聴を阻害するので文字や記号の可読性を低下させたいというニーズもある。
【０００５】
そこで、本発明は、テロップと重畳する位置にある映像データに対する該テロップの可読性を低くする補正を行う電子機器およびテロップと重畳する位置にある映像データに対する該テロップの可読性を低くする補正方法を提供することを目的とする。
【課題を解決するための手段】
【０００６】
上記目的を達成するために、請求項１に関わる電子機器は、ディスプレイと、前記ディスプレイに表示される映像データ上に重畳されるテロップデータ領域の周辺の画素が示す色相を検出するテロップデータ周辺色相検出手段と、前記テロップデータ領域の画素が示す色相を検出するテロップデータ色相検出手段と、前記テロップデータ周辺色相検出手段によって検出された色相と前記テロップデータ色相検出手段によって検出された色相とが同系の色相ではない場合、前記テロップデータ領域の画素が示す色相を、前記テロップデータ領域の周辺の画素が示す色相と同系の色相であり且つ前記テロップデータ領域の周辺の画素が示す色相が有する色調とは異なる色調で補正する補正手段と、を具備することを特徴とする。
【０００７】
また、請求項７に関わる電子機器は、ディスプレイと、前記ディスプレイに表示される映像データ上に重畳されるテロップデータ領域の周辺の画素が示す色相を検出するテロップデータ周辺色相検出手段と、前記テロップデータ領域を含む領域を形成する画素が示す色相の中で、前記テロップデータ周辺色相検出手段によって検出された色相とは異なる色相を検出するテロップデータ色相検出手段と、前記テロップデータ領域の周辺の画素が示す複数の同系色相に基づいて、前記同系色相からなる領域を形成するための境界線を決定し、この決定した境界線の配置傾向に基づいて前記テロップデータ領域内を複数の補正領域に区分する区分手段と、前記区分手段によって生成された前記複数の補正領域の画素が夫々示す色相を、前記複数の補正領域の周辺の画素が夫々示す色相と同系の色相であり、且つ、前記複数の補正領域の周辺の画素が夫々示す色相の有する色調とは異なる色調で補正する補正手段と、を具備することを特徴とする
【０００８】
また、請求項１２に関わる補正方法は、ディスプレイに表示される映像データ上に重畳されるテロップデータ領域の周辺の画素が示す色相を検出し、前記テロップデータ領域の画素が示す色相を検出し、前記テロップデータ領域の周辺の画素が示し前記検出された色相と前記テロップデータ領域の画素が示し前記検出された色相とが同系の色相ではない場合、前記テロップデータ領域の画素が示す色相を、前記テロップデータ領域の周辺の画素が示す色相と同系の色相であり且つ前記テロップデータ領域の周辺の画素が示す色相が有する色調とは異なる色調で補正することを特徴とする。
【０００９】
また、請求項１８に関わる電子機器は、ディスプレイと、前記ディスプレイに表示される映像データ上に重畳されるテロップデータ領域の画素が示す色相と前記テロップデータ領域の周辺の画素が示す色相とが同系の色相では無い場合に、前記テロップデータ領域の画素が示す色相を前記テロップデータ領域の周辺の画素が示す色相と同系の色相で補正する第１のモード、または、前記テロップデータ領域の画素が示す色相を補正しない第２のモードに設定することが可能な設定手段と、を具備することを特徴とする。
【発明の効果】
【００１０】
本発明によれば、テロップと重畳する位置にある映像データに対する該テロップの可読性を低くする補正を行う電子機器およびテロップと重畳する位置にある映像データに対する該テロップの可読性を低くする補正方法を提供することが可能となる。
【発明を実施するための最良の形態】
【００１１】
図１は、テレビ画面にテロップが付加されている映像データが映し出されている状態を示す図である。
【００１２】
図１に示すように、テレビ１のディスプレイ１３上にテロップ１３ｃが付加された映像データが映し出される。テロップとは、映像データ上に重ねあわされた文字・数字・記号・図形等のデータのことを言う。テロップの一例としては、字幕、時刻表示等がある。テロップはディスプレイ１３上の所定の領域に表示される。
【００１３】
図１に示されるテロップ１３ｃは赤色のテロップデータであり、テロップの下に存在する映像データは、芝生１３ａと空１３ｂを示す画像である。芝生の色は黄緑色であり、空の色は水色である。
【００１４】
図２は、テレビのハードウェア構成の一例を示すブロック図である。
【００１５】
テレビ１のハードウェア構成について説明する。コントローラ１０は、テレビ１の主な動作を制御する。このコントローラ１０は、リモコン１４から送信されるコマンドをデコードし、コマンド内容に応じて各制御を実行する。
【００１６】
チューナ１２は、チューナ１２に接続されるアンテナ１２ａを介して放送信号を受信する。例えばＭＰＥＧ２、ＭＰＥＧ４といったデジタル圧縮符号化方式のＭＰＥＧ形式でエンコードされたストリームデータを受信する。
【００１７】
チューナ１２は、映像処理部１１と接続される。映像処理部１１は、デコーダ部１１０、テロップデータ処理部１１１から構成される。
【００１８】
デコーダ部１１０は、チューナ部１２から入力された映像信号をデコード処理する。例えば、チューナ１２にて受信した、ＭＰＥＧ形式でエンコードされたストリームデータをデコード処理する。
【００１９】
テロップデータ処理部１１１は、デコーダ部１１０にてデコード処理された信号に含まれるテロップデータに対して処理を行う。このテロップデータ処理部１１１にて行われる処理については、後述にて詳細に説明する。
【００２０】
リモコン１４は、テロップデータ検出／テロップデータ補正参照領域を設定するためのコマンドを送信し、コントローラ１０はそのコマンドを受信する。
【００２１】
コントローラ１０は受信したコマンドをデコードする。ここで、コントローラ１０によってデコード処理されることで生成された信号を、テロップデータ検出／補正参照領域設定内容と称する。このテロップデータ検出／補正参照領域設内容については、後述にて詳細に説明する。
【００２２】
コントローラ１０によって生成されたテロップデータ検出／補正参照領域設定内容は、テロップデータ処理部１１１に入力される。
【００２３】
ディスプレイ１３は、映像処理部１１から出力された信号に基づいて映像データを表示する。
【００２４】
また、リモコン１４は、映像データに対するテロップの可読性を低くする補正処理を行うモード／補正処理を行わないモード（通常モード）の何れかのモードを設定するためのコマンドを送信し、コントローラ１０はそのコマンドを受信する。このモード切替については、後述にて説明する。
【００２５】
コントローラ１０は、映像データに対するテロップの可読性を低くする補正処理を行うモードを設定するためのコマンドを受信した場合、コントローラ１０はデコーダ部１１０にてデコード処理することで生成された信号をテロップデータ処理部１１１で処理するように、デコーダ処理部１１０に設定する。
【００２６】
一方、コントローラ１０は、映像データに対するテロップの可読性を低くする補正処理を行わないモードを設定するためのコマンドを受信した場合、コントローラ１０はデコーダ部１１０にてデコード処理することで生成された信号をテロップデータ処理部１１１に出力せずに、ディスプレイ１３に出力するように、デコーダ処理部１１０に設定する。
【００２７】
図３は、テロップデータ処理部の構成の一例を示すブロック図である。
【００２８】
テロップデータ処理部１１１は、映像データ入力部１００、テロップデータ検出部１０１、テロップデータ補正部１０２、映像データ出力部１０３、領域設定データ入力部１０４、テロップデータ検出領域／テロップデータ補正参照領域設定部１０５、領域設定データ出力部１０６から構成される。
【００２９】
映像データ入力部１００は、デコーダ部１１０にてデコード処理された信号をデコーダ部１１０から入力する。
【００３０】
テロップデータ検出部１０１は、映像データ入力部１００に入力されたデコード処理された映像信号に含まれるテロップデータを検出する。このテロップデータの検出処理については、後述にて詳細に説明する。
【００３１】
テロップデータ補正部１０２は、テロップデータ検出部１０１にて検出されたテロップデータに対して補正処理を行う。このテロップデータに対する補正処理については、後述にて詳細に説明する。
【００３２】
映像データ出力部１０３は、補正処理が施されたテロップデータを含む映像信号をディスプレイ１３に出力する。
【００３３】
領域設定データ入力部１０４は、コントローラ１０によってデコード処理されることで生成されたテロップデータ検出／補正参照領域設定内容を、コントローラ１０から入力する。
【００３４】
テロップデータ検出領域／テロップデータ補正参照領域設定部１０５は、領域設定データ入力部１０４に入力されたテロップデータ検出／補正参照領域設定内容をテロップデータ検出部１０１およびテロップデータ補正部１０２に設定する。このテロップデータ検出部１０１およびテロップデータ補正部１０２への設定については、後述にて詳細に説明する。
【００３５】
領域設定データ出力部１０６は、領域設定データ入力部１０４に入力されたテロップデータ検出／補正参照領域設定内容を、テロップデータ検出領域／テロップデータ補正参照領域設定部１０５を介して、ディスプレイ１３に出力する。次に、テロップデータ検出部１０１にて実行される処理について説明する。
【００３６】
まず、テロップデータ検出領域およびテロップデータ補正参照領域について説明する。
【００３７】
図４は、テレビ画面上に表示される、テロップデータ検出領域、テロップデータ補正参照領域の一例を示した図である。
【００３８】
図５は、テロップデータ検出領域、テロップデータ補正参照領域について説明した図である。
【００３９】
ユーザがテロップデータを補正するモードに変更させると、図４に示すように、テロップデータ検出領域、テロップデータ補正参照領域が、テレビ画面上に表示される。ユーザは、テロップデータ検出領域／テロップデータ補正参照領域（ｐｏ１，ｐｏ２，ｐｏ３，ｐｏ４）のうち、どの領域のテロップデータを検出するのか、また、これらの領域の大きさ等を、リモコン１４を用いて設定する。リモコン１４を用いて設定された内容は、コマンドとしてテレビ１に送信され、前述にて説明したとおり、コントローラ１０がこのコマンドをデコードして、テロップデータ検出／補正参照領域設定内容を生成する。テロップデータ検出領域、テロップデータ補正参照領域について、図５を用いてさらに詳しく説明する。
【００４０】
"テロップデータ検出領域"とは、図５の（１）に示すように、点線２００で囲まれた領域である。この領域は、テロップデータの検出対象となる領域である。
【００４１】
"テロップデータ補正参照領域"とは、図５の（２）に示すように、点線２０１と点線２００とで囲まれた領域である。この領域は、テロップデータを構成する画素を補正する際に参考とされる色相データの検出対象となる領域である。
【００４２】
次に、色相−色調パレット３００について説明する。
【００４３】
図６は、色相−色調パレット３００について説明した図である。
【００４４】
色相−色調パレット３００とは、色相および色調の関係を示すものである。
【００４５】
色相−色調パレット３００は円形のパレットであり、円周に沿って等間隔に代表的な色相を表示する。色相とは、"色合いの違い"を表わすパラメータである。図６に示すように、例えば色相として円周に沿って等間隔に"赤""青""緑""黄"を表示する。
【００４６】
また、色相−色調パレット３００にて、半径方向に沿って"色調"を表示する。色調とは、"明度"と"彩度"を考慮したパラメータである。明度とは、光の輝度に応じた色の明るさの度合いのことを指し、彩度とは、色の鮮やかさ、すなわち、色の純粋さの度合いのことを指す。例えば、彩度が高い色は鮮やかな原色となり、彩度が低くなるにつれてくすんだ色みを感じない色に変化する。
【００４７】
例えば、図６に示すように、色相−色調パレット３００にて、半径方向に沿って、色調が低い色を円の中心側に表示し、色調が高い色を円周側に表示するようにする。
【００４８】
テロップデータ検出部１０１およびテロップデータ補正部１０２は、この色相−色調パレット３００を用いる。
【００４９】
図７は、テロップデータ検出部１０１にて実行される処理の流れの一例を示す流れ図である。
【００５０】
ここで、テロップデータ検出１０１は、図３を用いて説明したテロップデータ検出領域／テロップデータ補正参照領域設定部１０５によって設定されたテロップデータ検出領域／補正参照領域設定内容の内容を用いて以下の処理を行う。
【００５１】
テロップデータ検出部１０１は、テロップデータ補正参照領域を構成する各画素の色相を検出する（ステップ  Ｓ１００）。図５の（２）に示すように、領域（Ａｒｅａ１）を構成する画素群が表示する色相が水色であることを検出し、領域（Ａｒｅａ２）を構成する画素群が表示する色相が黄緑色であることを検出する。
【００５２】
さらに、テロップデータ検出部１０１は、ステップＳ１００にて検出した色相を、色相−色調パレット３００に表示する（ステップ  Ｓ１０１）。
【００５３】
図８に示すように、色相−色調パレット３００に表示されている色相"黄"と"緑"との間に、テロップデータ補正参照領域に含まれる領域（Ａｒｅａ２）にて検出した黄緑色を表示（３００ａ）し、色相"緑"と"青"との間に、テロップデータ補正参照領域に含まれる領域（Ａｒｅａ１）にて検出した水色を表示（３００ｂ）する。
【００５４】
図９に示すように、ステップＳ３０１にて色相−色調パレット３００上に表示した色相を用いて、色相−色調パレット３００上に同系色領域を設定する（ステップ  Ｓ１０２）。同系色領域とは、ステップＳ３０１にてパレット上に表示された色相の色と同系色であるとみなされる色を示す領域である。例えば、図８に示すように、黄緑色（３００ａ）を含む同系色領域３０１ａは、黄緑色と同系色であるとみなされる色を示す領域であり、水色（３００ｂ）を含む同系色領域３０１ｂは、水色と同系色であるとみなされる色を示す領域である。この同系色領域を設定することは、同系の色相であるか、異なる系統の色相であるのかを判別するための閾値を設定することである。
【００５５】
同系色領域の設定の一例として、ステップＳ３０１にてパレット上に表示された色相の色（３００ａ，３００ｂ）を含むように同系色領域を設定する。その際、同系色領域の中心角（３０２ａ，３０２ｂ）はユーザによって設定可能である。
【００５６】
テロップデータ検出部１０１は、テロップデータ検出領域を構成する画素群の色相の中で、ステップＳ１０２にて設定した同系色領域（３００ａ，３００ｂ）とは異なる色相を検出する（ステップ  Ｓ１０３）。
【００５７】
図１０に示すように、領域（Ａｒｅａ３）および領域（Ａｒｅａ４）を構成する画素群が表示する色相が、ステップＳ１０２にて設定した同系色領域（３００ａ，３００ｂ）とは異なる色相の"赤"であることを検出する。
【００５８】
さらに、テロップデータ検出部１０１は、ステップＳ１０３にて検出した色相を、色相−色調パレット３００に表示する（ステップ  Ｓ１０４）。
【００５９】
図１１に示すように、色相−色調パレット３００に表示されている色相"赤"の近傍に、テロップデータ検出領域に含まれる領域（Ａｒｅａ３）および領域（Ａｒｅａ４）にて検出した赤色を表示（３００ｃ）する。
【００６０】
次に、テロップデータ補正部１０２にて実行される処理について説明する。
【００６１】
図１２は、テロップデータ補正部１０２にて実行される処理の流れの一例を示す流れ図である。
【００６２】
ここで、テロップデータ補正部１０２は、図３を用いて説明したテロップデータ検出領域／テロップデータ補正参照領域設定部１０５によって設定されたテロップデータ検出領域／補正参照領域設定内容の内容を用いて以下の処理を行う。
【００６３】
テロップデータ補正部１０２は、ステップＳ１０４にて色相が"赤"であると検出した領域（Ａｒｅａ３）および領域（Ａｒｅａ４）を、補正対象画素として指定する（ステップ  Ｓ２００）。
【００６４】
テロップデータ検出領域中、ステップＳ２００にて補正対象画素として指定した領域（Ａｒｅａ３，Ａｒｅａ４）以外の領域の画素が表示する色相に基づいて、これらの領域を区切るボーダーラインを決定する（ステップ  Ｓ２０１）。
【００６５】
図１３の（１）に示すように、水色の色相である領域（Ａｒｅａ１）と黄緑色の色相である領域（Ａｒｅａ３）とを区切るｂｏｒｄｅｒ１およびｂｏｒｄｅｒ２を決定する。
【００６６】
さらに、テロップデータ補正部１０２は、ステップＳ２０１にて決定したボーダーラインの配置傾向に基づいて、ステップＳ２００にて補正対象画素として指定した領域内に設けるボーダーラインを決定する（ステップ  Ｓ２０２）。
【００６７】
図１３の（２）に示すように、水色の色相である領域（Ａｒｅａ１）と黄緑色の色相である領域（Ａｒｅａ３）とを区切るｂｏｒｄｅｒ１およびｂｏｒｄｅｒ２の配置傾向に基づいて、補正対象画素として指定した色相が"赤"である領域（Ａｒｅａ３）内に設けるｂｏｒｄｅｒ３を決定する。
【００６８】
図１４に示すように、図１３（２）の領域（Ａｒｅａ３）のうち、ｂｏｒｄｅｒ３で区切られた上の部分をＡｒｅａ３ａ、下の部分をＡｒｅａ３ｂと称す。
【００６９】
図１５に示した色相−色調パレット３００を用いて、ステップＳ２００にて補正対象画素として指定した領域を補正するための色を選択する（ステップ  Ｓ２０３）。
【００７０】
図１５に示すように、領域（Ａｒｅａ３）の色相である黄緑色よりも色調の低い"濃い黄緑色"（３００ｄ）、および領域（Ａｒｅａ１）の色相である水色よりも色調の低い"濃い水色"（３００ｅ）を選択する。
【００７１】
領域（Ａｒｅａ３）の色相である黄緑色および領域（Ａｒｅａ１）の色相である水色と比較してどの程度低い色調を選択するかは、ユーザによって選択可能である。
【００７２】
図１５にて示した色相−色調パレット３００を用いて選択した領域（Ａｒｅａ３）の色相および領域（Ａｒｅａ１）の色相よりも濃い色調を用いて、領域（Ａｒｅａ３ａ）、領域（Ａｒｅａ３ｂ）および領域（Ａｒｅａ４）を補正する（ステップ  Ｓ２０４）。
【００７３】
図１６に示すように、領域（Ａｒｅａ４）および領域（Ａｒｅａ３ｂ）を構成する画素群を、領域（Ａｒｅａ３）の色相である黄緑色よりも色調の低い"濃い黄緑色"に表示させ、領域（Ａｒｅａ３ａ）を構成する画素群を、領域（Ａｒｅａ１）の色相である水色よりも色調の低い"濃い水色"に表示させる。
【００７４】
上述にて説明ように、映像データに対するテロップデータの可読性を低下させることで、視聴者に快適な環境を提供することが可能となる。
【００７５】
また、テロップデータ周辺の色相のパターンを考慮してテロップデータ領域中を補正領域に区分し、区分された夫々の領域をテロップデータ補正参照領域にて検出された色相よりも低い色調を有する色を用いて補正することで、テロップデータを単一の色相で補正する場合と比較して、映像データに対するテロップデータの可読性をさらに低下させることが可能となる。
【００７６】
図１７は、映像データに対するテロップの可読性を低くする補正処理を行うモード／補正処理を行わないモードの設定に要する、ディスプレイに表示される設定画面の一例を示す図である。
【００７７】
ディスプレイ１３上に、テロップの可読性を低くする補正処理を行うモード／補正処理を行わないモードを設定するための設定画面ｍ１が表示される。
【００７８】
ユーザは、この設定画面ｍ１を見ながら、テロップの可読性を低くする補正処理を行うモードにするのか、または、補正処理を行わないモードにしないのかを設定する。
【００７９】
図１８は、映像データに対するテロップの可読性を低くする補正処理を行うモード／補正処理を行わないモードに設定する手順の一例を示す流れ図である。
【００８０】
ユーザは設定画面ｍ１を見て、例えば、テロップの可読性を低くする補正処理を行いたい場合、設定画面ｍ１中の"はい"を選択・決定する。これらの操作は、ユーザによる例えばリモコン操作によって行われる。
【００８１】
ユーザによって例えばリモコン１４を操作することで設定画面ｍ１中"はい"が選択・決定された場合、例えばリモコン１４は、ユーザの操作に応じて、映像データに対するテロップの可読性を低くする補正処理を行うモードを設定するためのコマンドを送信し（ステップ  Ｓ３００  Ｙｅｓ）、コントローラ１０は、例えばリモコン１４から送信された、映像データに対するテロップの可読性を低くする補正処理を行うモードを設定するためのコマンドを受信する（ステップ  Ｓ３０１）。
【００８２】
コントローラ１０は、ステップＳ３０１にて映像データに対するテロップの可読性を低くする補正処理を行うモードを設定するためのコマンドを受信すると、デコーダ部１１０にてデコード処理することで生成された信号をテロップデータ処理部１１１で処理するように、デコーダ処理部１１０に設定する（ステップ  Ｓ３０２）。
【００８３】
一方、ユーザによって例えばリモコン１４を操作することで設定画面ｍ１中"いいえ"が選択・決定された場合、例えばリモコン１４は、ユーザの操作に応じて、映像データに対するテロップの可読性を低くする補正処理を行わない通常モードを設定するためのコマンドを送信し（ステップ  Ｓ３００  Ｎｏ）、コントローラ１０は、例えばリモコン１４から送信された、映像データに対するテロップの可読性を低くする補正処理を行わない通常モードを設定するためのコマンドを受信する（ステップ  Ｓ３０３）。
【００８４】
コントローラ１０は、ステップＳ３０３にて映像データに対するテロップの可読性を低くする補正処理を行わない通常モードを設定するためのコマンドを受信すると、デコーダ部１１０にてデコード処理することで生成された信号をディスプレイ１３に出力するように、デコーダ処理部１１０に設定する（ステップ  Ｓ３０４）。
【００８５】
このように、ユーザによる例えばリモコン操作によって映像データに対するテロップの可読性を低くする補正処理を行うのか行わないのかを設定可能な設計にしておくことで、ユーザがテロップの可読性を低くしたい場合にのみ、テロップの可読性を低くする補正処理を実行することが可能となる。
【００８６】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００８７】
【図１】テロップデータが付加された映像データがテレビ画面に映し出されている状態を示す図。
【図２】テレビのハードウェア構成の一例を示すブロック図。
【図３】テロップデータ処理部の構成の一例を示すブロック図。
【図４】テロップ画面上に表示される、テロップデータ検出領域、テロップデータ補正参照領域の一例を示した図。
【図５】テロップデータ検出領域、テロップデータ補正参照領域について説明した図。
【図６】色相−色調パレットについて説明する図。
【図７】テロップデータ検出部にて実行される処理の流れの一例を示す流れ図。
【図８】テロップデータ補正参照領域に含まれる領域にて検出した色を表示する色相−色調パレットを説明する図。
【図９】同系色領域を設定した色相−色調パレットについて説明する図。
【図１０】領域（Ａｒｅａ３）および領域（Ａｒｅａ４）を構成する画素群が表示する色相が"赤"であることを示す図。
【図１１】テロップデータ検出領域にて検出したテロップデータの色を表示する色相−色調パレットを説明する図。
【図１２】テロップデータ補正部にて実行される処理の流れの一例を示す流れ図。
【図１３】領域（Ａｒｅａ１）と領域（Ａｒｅａ３）とを区切るｂｏｒｄｅｒ１およびｂｏｒｄｅｒ２を決定することを示す図。
【図１４】領域（Ａｒｅａ３）のうち、ｂｏｒｄｅｒ３で区切られた上の部分をＡｒｅａ３ａ、下の部分をＡｒｅａ３ｂであることを示す図。
【図１５】色相−色調パレットを用いて、補正対象画素として指定した領域を補正するための色を選択することを示す図。
【図１６】領域（Ａｒｅａ４）および領域（Ａｒｅａ３ｂ）を構成する画素群、領域（Ａｒｅａ３ａ）を構成する画素群を夫々、色調の低い色に表示することを示す図。
【図１７】映像データに対するテロップの可読性を低くする補正処理を行うモード／補正処理を行わないモードの設定に要する、ディスプレイに表示される設定画面の一例を示す図。
【図１８】映像データに対するテロップの可読性を低くする補正処理を行うモード／補正処理を行わないモードに設定する手順の一例を示す流れ図。
【符号の説明】
【００８８】
１…テレビ、１０…コントローラ、１１…映像処理部、１２…チューナ、
１３…ディスプレイ、１４…リモコン、１１０…デコーダ部、
１１１…テロップデータ処理部、
【図１】
2009081542.tif 000003
【図２】
2009081542.tif 000004
【図３】
2009081542.tif 000005
【図４】
2009081542.tif 000006
【図５】
2009081542.tif 000007
【図６】
2009081542.tif 000008
【図７】
2009081542.tif 000009
【図８】
2009081542.tif 000010
【図９】
2009081542.tif 000011
【図１０】
2009081542.tif 000012
【図１１】
2009081542.tif 000013
【図１２】
2009081542.tif 000014
【図１３】
2009081542.tif 000015
【図１４】
2009081542.tif 000016
【図１５】
2009081542.tif 000017
【図１６】
2009081542.tif 000018
【図１７】
2009081542.tif 000019
【図１８】
2009081542.tif 000020